(57)【特許請求の範囲】
【請求項１】
弾力のある一枚の板に切り込みを入れ、屈曲させて製造された方形のカード状部材を保持することができるカードホルダであって、
前記カード状部材の裏面に対向する裏面本体と、
前記カード状部材の表面を露出可能に前記裏面本体から屈曲して前記カード状部材の縁を囲んで保持する枠体と、
前記裏面本体の横幅方向において中央に位置し、前記裏面本体の下端と略平行な差込片曲げ線で折り曲げられて下方向に揺動可能な差込片と、
前記差込片折り曲げ線より下方に位置する前記裏面本体の下端と略平行な支持片曲げ線で折り曲げられて上方向に揺動可能で、前記差込片の先端の差込部が挿入可能な差込開口部が形成されている支持片と、
を有し、
上下方向における前記差込開口部から前記差込片曲げ線までの長さは、前記差込片のうち前記差込開口部に挿入さる前記差込部を除いた長さより長く、前記差込片曲げ線から前記支持片曲げ線までの曲げ線間隔部は所定の長さを有しており、前記差込部が前記差込開口部に挿入された状態で、前記曲げ線間隔部の前記裏面本体、前記差込片の前記差込部を除いた部分、及び前記支持片曲げ線から前記差込開口部までの部分で、鈍角三角形を形成し、
前記カード状部材の下側の縁に位置する前記枠体の下枠部と、前記差込片の差込片先端又は前記支持片の支持片先端とが設置面に接して自立することを特徴とするカードホルダ。
【請求項２】
前記差込片は揺動部分は山形をしており、前記差込片曲げ線で折り曲げられて下方向に揺動して、先端の前記差込部が前記差込開口部に挿入され、
前記支持片は前記支持片先端が前記設置面に対して略平行な方形であり、
前記支持片先端及び前記下枠部が前記設置面に接する請求項１に記載のカードホルダ。
【請求項３】
前記差込片の前記差込部を除いた部分は、横方向において、前記差込部より幅があり、
前記差込片は、前記差込片曲げ線で折り曲げられて下方向に揺動して、先端の前記差込部が前記差込開口部に挿入され、
前記差込片先端及び前記下枠部が前記設置面に接する請求項１に記載のカードホルダ。
【請求項４】
前記差込片は、上下方向のほぼ中間位置に、前記設置面に略平行な直線で折り曲げることが可能な補助折り曲げ部が形成されている請求項３に記載のカードホルダ。
【発明の詳細な説明】
【技術分野】
【０００１】
本発明は、カレンダー片や写真等のカード状の部材を収納できるカードホルダに関する。
【背景技術】
【０００２】
カレンダー片や写真などのカードを収納して机上や壁上に飾ることができるカードホルダは、様々な種類がある。例えば、特許文献１では、紙を材料として低コストで製造でき、組み立ても簡単な卓上のカレンダーを開示している。
【先行技術文献】
【特許文献】
【０００３】
【特許文献１】特開２００４−５８４７８号公報
【発明の概要】
【発明が解決しようとする課題】
【０００４】
ところで、カレンダー片やメモなどをカードホルダに挿入して飾る場合、カードホルダに挿入される前段階で書き込むだけでなく、挿入された後も書き込みを行う場合が考えられる。しかし、特許文献１の卓上のカレンダーは、自立可能な状態に組み立てた後で、カレンダーに書き込みをする際、再度たたんで寝かし、書き込み後また組み立てるのに、片手に筆記具を持った状態では簡単にできない。また、カレンダー片を抜き出して書き込む事ができるが、わざわざ抜き出し、挿入する手間を要する。
【０００５】
本発明は上記実情に鑑みなされたもので、安価に製造でき、書き込みしやすいカードホルダを提供することを解決すべき課題とする。
【課題を解決するための手段】
【０００６】
上記課題を解決するための請求項１に係る発明の構成上の特徴は、弾力のある一枚の板に切り込みを入れ、屈曲させて製造された方形のカード状部材を保持することができるカードホルダであって、
前記カード状部材の裏面に対向する裏面本体と、
前記カード状部材の表面を露出可能に前記裏面本体から屈曲して前記カード状部材の縁を囲んで保持する枠体と、
前記裏面本体の横幅方向において中央に位置し、前記裏面本体の下端と略平行な差込片曲げ線で折り曲げられて下方向に揺動可能な差込片と、
前記差込片折り曲げ線より下方に位置する前記裏面本体の下端と略平行な支持片曲げ線で折り曲げられて上方向に揺動可能で、前記差込片の先端の差込部が挿入可能な差込開口部が形成されている支持片と、
を有し、
上下方向における前記差込開口部から前記差込片曲げ線までの長さは、前記差込片のうち前記差込開口部に挿入さる前記差込部を除いた長さより長く、前記差込片曲げ線から前記支持片曲げ線までの曲げ線間隔部は所定の長さを有しており、前記差込部が前記差込開口部に挿入された状態で、前記曲げ線間隔部の前記裏面本体、前記差込片の前記差込部を除いた部分、及び前記支持片曲げ線から前記差込開口部までの部分で、鈍角三角形を形成し、
前記カード状部材の下側の縁に位置する前記枠体の下枠部と、前記差込片の差込片先端又は前記支持片の支持片先端とが設置面に接して自立することである。
【０００７】
また請求項２に係る発明の構成上の特徴は、請求項１において、前記差込片は揺動部分は山形をしており、前記差込片曲げ線で折り曲げられて下方向に揺動して、先端の前記差込部が前記差込開口部に挿入され、
前記支持片は前記支持片先端が前記設置面に対して略平行な方形であり、
前記支持片先端及び前記下枠部が前記設置面に接することである。
【０００８】
また請求項３に係る発明の構成上の特徴は、請求項１において、前記差込片の前記差込部を除いた部分は、横方向において、前記差込部より幅があり、
前記差込片は、前記差込片曲げ線で折り曲げられて下方向に揺動して、先端の前記差込部が前記差込開口部に挿入され、
前記差込片先端及び前記下枠部が前記設置面に接することである。
【０００９】
また請求項４に係る発明の構成上の特徴は、請求項３において、前記差込片は、上下方向のほぼ中間位置に、前記設置面に略平行な直線で折り曲げることが可能な補助折り曲げ部が形成されていることである。
【発明の効果】
【００１０】
請求項１に係る発明においては、一枚の板に切り込みを入れ、屈曲させて製造することができるため、枠型に材料を流し込む射出成型や幾つもの板を切り貼りする製造方法に比べて安価であり、製造も速い。特に、様々な大きさのカード状部材毎に対応する射出成型用の型を用意するのにコストがかかるが、トムソン型のような打ち抜きによる製造は、抜き型製作のコストが安い。そして、刃先の潰れたものを抜き型にセットすることで折り曲げる部分も、型抜き及び切り込みと同時に成型できるため、製造効率も高い。
【００１１】
また、本発明のカードホルダは、差込片の差込部を支持片の差込開口部に挿入し、曲げ線間隔部の裏面本体と、前記差込片の前記差込部を除いた部分と、支持片曲げ線から差込開口部までの部分で、鈍角三角形を形成する。そして、弾力のある部材を用いているため、差込開口部に差込部が挿入された状態で、差込片は下方向に揺動している先端を上方向に戻す方向に力が加わり、支持片は下方向に戻す方向に力が加わり、鈍角三角形が維持されるため、机上等で使用する場合に確実に自立することができる。更に、弾力のある部材を用いており、且つ、差込部を差込開口部に挿入しているだけであるため、枠体によって保持されているカード状部材に書き込み等をする際には、本発明のカードホルダはすぐに机上等に倒すことができる。そして、書き込み終了後、カードホルダを机上等から離すと、差込片及び支持片が弾性力で戻ろうとするため、鈍角三角形が形成され、すぐに机上等に自立できる状態に戻る。つまり、カード状部材を枠体から取り出すことなく、すぐに書き込みでき、且つすぐに自立できるため、書き込みがしやすい。
【００１２】
請求項２に係る発明においては、差込部が差込開口部に挿入された後、支持片の支持片先端と下枠部とが机上等の設置面に接し、差込片の差込片先端が接しない。そのため、差込片先端は支持片の支持片先端のように、ある程度の幅や平らな形状とする必要がない。例えば、円弧状のような先細りに山形状にすることで、差込開口部への挿入しやすい形状を選択することができる。
【００１３】
請求項３に係る発明においては、差込部が差込開口部に挿入された後、差込片の差込先端と下枠部とが机上等の設置面に接する。そのため、差込片の差込部の形状としては、先端が横幅方向である程度の幅を有するのが望ましく、差込開口部に挿入された差込部が差込開口部から抜けにくく、しっかりと係合する。
【００１４】
請求項４に係る発明においては、補助折り曲げ線で差込片が曲げられるため、差込部が差込開口部に挿入しやすい。
【図面の簡単な説明】
【００１５】
【図１】本実施形態１のカードホルダを展開した状態を示す説明図である。
【図２】本実施形態１のカードホルダの横方向からを模式的に表した説明図である。
【図３】本実施形態２のカードホルダを展開した状態を示す説明図である。
【図４】本実施形態２のカードホルダの横方向からを模式的に表した説明図である。
【発明を実施するための形態】
【００１６】
本発明のカードホルダについて以下詳細に説明を行う。本実施形態のカードホルダが保持するカード状部材としては、方形であること以外は特に限定されず、カレンダー、メモ、写真等をあげることができる。カード状部材は同じ大きさに規格化されることが望ましい。これらのカード状部材は１枚、あるいは複数枚を重ね合わせた積層体として保持できる。
【００１７】
（実施形態１）
本実施形態１のカードホルダは、厚さが０．４ｍｍ〜０．５ｍｍ程度の弾力のある一枚の板から、図１に示される外形で型抜きされる。厚さや素材については、特に限定されないが、弾力のある素材、例えば、ＰＥＴなどの樹脂を用いる。「弾力のある」とは、後述する差込片２及び支持片３が、カードホルダを押し倒しても戻ってくるだけの弾性を有する程度を示す。また、色及び透明度も特に限定されない。型抜きの際、裏面本体１に差込片２、支持片３、及び壁掛け片４部分に切り込みが入れられ、枠体５部分となるように屈曲できる折り目が付けられる。図中の破線は、折り目を示す。
【００１８】
差込片２は、裏面本体１の横方向において、中央部分に位置する。差込片２は、裏面本体１の下端１１と略平行な差込片曲げ線２１で裏面本体１と繋がっており、差込片曲げ線２１から上方向部分が山形に裏面本体１が切り込まれて、形成されている。差込片２は、先端部分が後述する支持片３の差込開口部３２に挿入される差込部２２と、差込片曲げ線２１から差込部２２までの差込開口部３２に挿入されない非差込部２３とを有する。差込部２２は、差込先端２４から、差込開口部３２に挿入されない横幅のある部分までであり、差込開口部３２に挿入された状態でカードホルダが倒されても、差込開口部３２から抜けない長さである。差込片２は、差込片曲げ線２１で折り曲げられて上下方向に揺動することができる。
【００１９】
支持片３は、裏面本体１の横方向において、中央部分に位置し、差込片２の下方向に位置する。支持片３は、裏面本体１の下端１１と略平行な支持片曲げ線３１で裏面本体１と繋がっており、支持片曲げ線３１から下方向部分が方形に裏面本体１が切り込まれて、形成されている。支持片曲げ線３１と差込片曲げ線２１との間の曲げ線間隔部１２は、上下方向において所定の長さを有しており、支持片曲げ線３１と差込片曲げ線２１とが上下方向で所定の長さ離れている。支持片３は、中央部分に横方向にスリット状に開口した差込開口部３２が形成されている。支持片３の支持片先端３３は、裏面本体１の下端１１とほぼ同じ位置であり、下端１１を越え、後述する枠体５の下枠部５１を切り欠くほど、支持片３が長くなる位置でも良い。そして、支持片３は支持片曲げ線３１で折り曲げられて上下方向に揺動することができる。
【００２０】
壁掛け片４は、裏面本体１の横方向において、中央部分に位置し、差込片２より上方向に位置する。裏面本体１の下端１１と略平行な壁掛け片曲げ線４１で裏面本体１と繋がっており、壁掛け片曲げ線４１から下方向部分がＵ字状に裏面本体１が切り込まれて、形成されている。中央部分にピン用孔４２が開口している。壁掛け片４は、壁掛け片曲げ線４１で折り曲げられて上下方向に揺動することができる。
【００２１】
枠体５は、裏面本体１から鍵状に屈曲されて形成され、カード状部材の縁を囲む程度の幅である。枠体５は、下部分に下枠部５１、左右のそれぞれに横枠部５２が形成されている。下枠部５１は、裏面本体１の下端１１と同じ高さの第１屈曲線５１１で裏面本体１に対して略直角に屈曲し、更に所定幅あけた第２屈曲線５１２で略直角に屈曲している。横枠部５２は、裏面本体１の両側が第１屈曲線５２１で裏面本体１に対して略直角に屈曲し、更に所定幅あけた第２屈曲線５２２で略直角に屈曲している。下枠部５１と横枠部５２の厚さ方向の幅はほぼ同じである。下枠部５１及び横枠部５２は、差込片２や支持片３の曲げ線部分とは異なり、屈曲された状態から揺動して裏面本体１と面一状態には戻らないように成形されていることが好ましい。
【００２２】
（作用効果）
本実施形態１のカードホルダは、枠体５が屈曲された状態で出荷される。その後、使用者が、図２に示されるように、差込片２と支持片３とを揺動させて、差込片２の先端側の差込部２２を支持片３の差込開口部３２に挿入する。非差込部２３の長さＡは、曲げ線間隔部１２の長さＢと、支持片曲げ線３１から差込開口部３２までの長さＣとを足した長さより短いため、曲げ線間隔部１２と、非差込部２３と、支持片曲げ線３１から差込開口部３２までの支持片３部分とで、鈍角三角形が形成される。そして、支持片３の支持片先端３３と裏面本体１の下端１１とが机上等の設置面に接することで、机上等に自立させることができる。
【００２３】
カードホルダの素材として、弾力のある材料を用いることで、下方向に大きく揺動している差込片２は、上方向に揺動して戻ろうとする。一方、支持片３は、差込片２の戻ろうとする力によって、若干上方向に揺動するが、自身が戻ろうとする力も働くため、鈍角三角形を維持する。差込片２と支持片３とがそれぞれ戻ろうとする力の均衡から、差込片曲げ線２１は支持片曲げ線３１より短く、また支持片３より差込片２の大きさを小さく形成するのが好ましい。
【００２４】
本実施形態１のカードホルダは、一枚の板に切り込みを入れ、屈曲させて製造することができるため、枠型に材料を流し込む射出成型や幾つもの板を切り貼りする製造方法に比べて安価であり、製造も速い。そのため、カード状部材の大きさ毎に抜き型を制作してもコストが抑えられる。そして、刃先の潰れたものを抜き型にセットすることで折り曲げる部分も、型抜き及び切り込みと同時に成型できるため、製造も速い。
【００２５】
また、本実施形態１のカードホルダは、差込開口部３２に差込部２２を挿入するだけで、机上等にしっかりと自立できる状態にすることができ、組み立ても簡単である。特に、差込片２を山形の先細り形状であることから、差込部２２を差込開口部３２に非常に簡単に挿入しやすい。そして、弾力のある部材を用いており、且つ、差込部２２を差込開口部３２に挿入しているだけであるため、カードホルダを押し倒すように横にする際、辺Ｂと辺Ｃとでつくられる鈍角の角度が更に大きくなってカードホルダが倒れ、枠体５によって保持されているカード状部材に書き込みができる。そして、書き込み終了後、カードホルダを机上等から離すと、差込片２及び支持片３が弾性力で戻ろうとするため、潰れていた鈍角三角形がすぐに戻り、机上等に自立できる状態となる。つまり、カード状部材を枠体５から取り出すことなく、差込開口部３２から差込部２２も抜くことなく、すぐに書き込みができ、且つすぐに自立するため、カード状部材への書き込みがしやすい。
【００２６】
その他、本実施形態１のカードホルダは、壁掛け片４が形成されているため、壁掛け片４を上方に揺動し、ピン用孔４２にピンを貫通させることで、机上等に自立させる以外に、壁に掛けることができる。
【００２７】
（実施形態２）
本実施形態２のカードホルダは、厚さが０．４ｍｍ〜０．５ｍｍ程度の弾力のある一枚の板から、図３に示される外形で型抜きされる。厚さや素材については、特に限定されないが、弾力のある素材、例えば、ＰＥＴなどの樹脂を用いる。「弾力のある」とは、後述する差込片６及び支持片７が、カードホルダを押し倒しても戻ってくるだけの弾性を有する程度を示す。また、色及び透明度も特に限定されない。型抜きの際、裏面本体１に差込片６及び支持片７部分に切り込みが入れられ、枠体８部分となるように屈曲できる折り目が付けられる。
【００２８】
差込片６は、裏面本体１の横方向において、中央部分に位置する。差込片６は、裏面本体１の下端１１と略平行な差込片曲げ線６１で裏面本体１と繋がっており、差込片曲げ線６１から上方向部分が凸形状に裏面本体１が切り込まれて、形成されている。差込片６は、先端部分が後述する支持片７の差込開口部７２に挿入される差込部６２と、差込片曲げ線６１から差込部６２までの差込開口部７２に挿入されない非差込部６３とを有する。差込部６２は非差込部６３より横幅が狭く、差込部６２と非差込部６３とは階段のように段差がある。なお、差込片先端６４は、直線形状に限定されず、円弧、下方に揺動した状態で両サイドが下方向に突出、等が考えられる。差込片６は、差込片曲げ線６１で折り曲げられて上下方向に揺動することができる。
【００２９】
支持片７は、裏面本体１の横方向において、中央部分に位置し、差込片６の下方向に位置する。支持片７は、裏面本体１の下端１１と略平行な支持片曲げ線７１で裏面本体１と繋がっており、支持片曲げ線７１から下方向部分が方形に裏面本体１が切り込まれて、形成されている。支持片７は、横方向で中央、上下方向で下方に、横方向にスリット状に開口した差込開口部７２が形成されている。支持片７の支持片先端７３は、裏面本体１の下端１１より上方にある。そして、支持片７は支持片曲げ線７１で折り曲げられて上下方向に揺動することができる。
【００３０】
枠体８は、裏面本体１から鍵状に屈曲されて形成され、カード状部材の縁を囲む程度の幅である。枠体８は、下部分に下枠部８１、上部分に上枠部８２が形成されている。下枠部８１及び上枠部８２は、下端１１と略平行な第１屈曲線８１１，８２１で、裏面本体１に対して略直角に屈曲し、所定幅あけた第２屈曲線８１２，８２２で更に略直角に屈曲している。下枠部８１及び上枠部８２は、差込片６や支持片７の曲げ線部分とは異なり、屈曲された状態から裏面本体１と面一状態には戻らないように成形されていることが好ましい。
【００３１】
（作用効果）
本実施形態２のカードホルダは、実施形態１のカードホルダと基本的に同様の作用効果を有する。以下、異なる構成及び作用効果を中心に説明する。
【００３２】
本実施形態２のカードホルダは、使用者が、図４に示されるように、差込片６と支持片７とを揺動させて、差込片６の先端側の差込部６２を支持片７の差込開口部７２に挿入する。非差込部６３の長さＡは、曲げ線間隔部１２の長さＢと、支持片曲げ線７１から差込開口部７２までの長さＣとを足した長さより短いため、曲げ線間隔部１２と、非差込部６３と、支持片曲げ線７１から差込開口部７２までの支持片７部分とで、鈍角三角形が形成される。そして、差込片６の差込片先端６４と裏面本体１の下端１１とが机上等の設置面に接することで、机上等に自立させることができる。
【００３３】
本実施形態２のカードホルダは、一枚の板に切り込みを入れ、屈曲させて製造することができるため、枠型に材料を流し込む射出成型や幾つもの板を切り貼りする製造方法に比べて安価であり、製造も速い。そのため、カード状部材の大きさ毎に抜き型を制作してもコストが抑えられる。そして、刃先の潰れたものを抜き型にセットすることで折り曲げる部分も、型抜き及び切り込みと同時に成型できるため、製造も速い。
【００３４】
また、本実施形態２のカードホルダは、差込開口部７２に差込部６２を挿入するだけで、机上等にしっかりと自立できる状態にすることができ、組み立ても簡単である。そして、支持片７に、上下方向で中央部分、且つ下端１１と略平行な直線の補助折り曲げ部６５を形成することで、差込部６２を差込開口部７２に挿入しやすくすることができる。
【００３５】
また、弾力のある部材を用いており、且つ、差込部６２を差込開口部７２に挿入しているだけであるため、カードホルダを押し倒すように横にする際、辺Ｂと辺Ｃとでつくられる鈍角の角度が更に大きくなってカードホルダが倒れ、枠体５によって保持されているカード状部材に書き込みができる。そして、書き込み終了後、枠体５によって保持されているカード状部材に書き込み等をする際には、本実施形態２のカードホルダはすぐに机上等に倒すことができる。そして、書き込み終了後、カードホルダを机上等から離すと、差込片６及び支持片７が弾性力で戻ろうとするため、潰れていた鈍角三角形がすぐに戻り、机上等に自立できる状態となる。つまり、カード状部材を枠体５から取り出すことなく、差込開口部７２から差込部６２も抜くことなく、すぐに書き込みができ、且つすぐに自立するため、カード状部材への書き込みがしやすい。
【００３６】
（その他の実施形態）
以上、本発明の好適な実施形態について説明したが、本発明は上記実施形態に限定されるものではない。例えば、差込片２，６の形状は、山形や凸形に限られず、差込部２２，６２と非差込部２３，６３とで幅が異なり、非差込部２３，６３が広くなるような形状であればよい。そして、差込片、支持片の長さ、幅、差込開口部の位置は、裏面本体１の大きさ（保持するカード状部材の大きさ）により、適当な長さ、幅、そして位置が決められる。
【００３７】
また、実施形態１のカードホルダの枠体５と実施形態２のカードホルダの枠体８とは、構成を入れ替えることができる。そして、実施形態１のカードホルダの壁掛け片４を、実施形態２のカードホルダに形成することもできるし、実施形態１のカードホルダに壁掛け片４を形成しないカードホルダとすることもできる。
【符号の説明】
【００３８】
１：裏面本体、  １１：下端、  １２：曲げ線間隔部、
２：差込片、  ２１：差込片曲げ線、  ２２：差込部、  ２３：非差込部、
２４：差込片先端、
３：支持片、  ３１：支持片曲げ線、  ３２：差込開口部、  ３３：支持片先端、
４：壁掛け片、  ４１：壁掛け片曲げ線、  ４２：ピン用孔、
５：枠体、  ５１：下枠部、  ５１１，５２１：第１屈曲線、
５１２，５２２：第２屈曲線、  ５２：横枠部、
６：差込片、  ６１：差込片曲げ線、  ６２：差込部、  ６３：非差込部、
６４：差込片先端、  ６５：補助折り曲げ部、
７：支持片、  ７１：支持片曲げ線、  ７２：差込開口部、  ７３：支持片先端、
８：枠体、  ８１：下枠部、  ８１１，８２１：第１屈曲線、
８１２，８２２：第２屈曲線、  ８２：上枠部。
【図１】
0005671409.tif 000002
【図２】
0005671409.tif 000003
【図３】
0005671409.tif 000004
【図４】
0005671409.tif 000005